(57)【要約】【課題】  相互相関のピークが隣接データに影響されることなく、シンボルタイミングを精度良く抽出できる受信機及びシンボルタイミング抽出方法を提供する。【解決手段】  デジタル変調方式の受信機において、符号判定部１０７で符号判定したＵＷの前後のデータをＵＷ前後のデータ抽出部１１２で抽出し、結合部１１３でＵＷパターン格納メモリ１０８に記憶されているＵＷを読み取り、抽出されたＵＷ前後のデータを時間順に結合してマッピングし、当該マッピングしたシンボルをナイキストフィルタ１１４に通して、ＵＷ部切り出し部１１６でUW部のみ切り出し、その符号間干渉を受けたＵＷ部信号を相互相関器１１０のリファレンスとして用いる受信機及びシンボルタイミング抽出方法である。【選択図】        図１
2010283726.tif 000002
【特許請求の範囲】
【請求項１】
デジタル変調方式の受信機であって、
復調した受信信号に含まれるユニークワードの前後のデータを抽出するデータ抽出手段と、
受信側で予めユニークワードを記憶するユニークワード記憶手段と、
前記抽出されたデータと前記ユニークワード記憶手段から読み取ったユニークワードとを結合してマッピングして出力する結合手段と、
前記結合手段からの出力をフィルタリングする送信フィルタと受信フィルタの特性を併せて持つフィルタと、
前記フィルタからの出力からユニークワードを切り出す切り出し手段と、
前記切り出されたユニークワードを、受信信号のユニークワードとの相互相関を検出するためのリファレンス信号に使用する相互相関手段とを有することを特徴とする受信機。
【請求項２】
デジタル変調方式の受信機であって、
復調した受信信号に含まれるユニークワードの前方又は後方のデータを抽出するデータ抽出手段と、
受信側で予めユニークワードを記憶するユニークワード記憶手段と、
前記抽出されたデータと前記ユニークワード記憶手段から読み取ったユニークワードとを結合してマッピングして出力する結合手段と、
前記結合手段からの出力をフィルタリングする送信フィルタと受信フィルタの特性を併せて持つフィルタと、
前記フィルタからの出力からユニークワードを切り出す切り出し手段と、
前記切り出されたユニークワードを、受信信号のユニークワードとの相互相関を検出するためのリファレンス信号に使用する相互相関手段とを有することを特徴とする受信機。
【請求項３】
デジタル変調方式の受信機におけるシンボルタイミング抽出方法であって、
データ抽出手段が、復調した受信信号に含まれるユニークワードの前後のデータを抽出し、
結合手段が、前記抽出されたデータと受信側で予めユニークワードを記憶するユニークワード記憶手段から読み取ったユニークワードとを結合してマッピングして出力し、
送信フィルタと受信フィルタの特性を併せて持つフィルタが、前記結合手段からの出力をフィルタリングし、
切り出し手段が、前記フィルタからの出力からユニークワードを切り出し、
相互相関手段が、前記切り出されたユニークワードを、受信信号のユニークワードとの相互相関を検出するためのリファレンス信号に使用することを特徴とするシンボルタイミング抽出方法。
【請求項４】
デジタル変調方式の受信機におけるシンボルタイミング抽出方法であって、
データ抽出手段が、復調した受信信号に含まれるユニークワードの前方又は後方のデータを抽出し、
結合手段が、前記抽出されたデータと受信側で予めユニークワードを記憶するユニークワード記憶手段から読み取ったユニークワードとを結合してマッピングして出力し、
送信フィルタと受信フィルタの特性を併せて持つフィルタが、前記結合手段からの出力をフィルタリングし、
切り出し手段が、前記フィルタからの出力からユニークワードを切り出し、
相互相関手段が、前記切り出されたユニークワードを、受信信号のユニークワードとの相互相関を検出するためのリファレンス信号に使用することを特徴とするシンボルタイミング抽出方法。
【発明の詳細な説明】
【技術分野】
【０００１】
本発明は、デジタル変調方式の受信機に係り、特に、シンボルタイミングを精度良く抽出できる受信機及びシンボルタイミング抽出方法に関する。
【背景技術】
【０００２】
［従来の技術］
ＰＳＫ（Phase Shift Keying：位相変移変調）、ＱＡＭ（Quadrature Amplitude Modulation：直交振幅変調）、ＦＳＫ（Frequency Shift Keying：周波数変移変調）といったデジタル変調方式の送受信システムにおいて、送受のベースバンドフィルタにナイキストフィルタを用いることがある。
【０００３】
上記送受信システムの受信機において、ベースバンドフィルタにナイキストフィルタを用いた場合、ベースバンド信号が符号間干渉を受けないタイミングはシンボル周期（シンボル周期：変調信号に符号を載せる周期）に１回のみとなり、符号間干渉なく復調するためには、このタイミングを抽出する必要がある。このタイミングを「シンボルタイミング」と呼ぶ。
【０００４】
［従来の受信機：図３］
シンボルタイミングを抽出する機能を備えた従来の受信機について図３を参照しながら説明する。図３は、従来の受信機の構成ブロック図である。
従来の受信機は、図３に示すように、入力端子１０１と、アナログＲＦ／ＩＦ部１０２と、Ａ／Ｄ変換器１０３と、復調器１０４と、ベースバンドフィルタ１０５と、シンボル抽出部１０６と、符号判定部１０７と、ユニークワード（ＵＷ）パターン格納メモリ１０８と、ピーク検出部１０９と、出力端子１１５と、相互相関器２０１とを備えている。
【０００５】
［従来の受信機の各部］
入力端子１０１は、受信信号を入力し、アナログＲＦ／ＩＦ部１０２に出力する。
アナログＲＦ／ＩＦ部１０２は、受信信号を増幅し、ＲＦ（Radio Frequency：無線周波数）信号からＩＦ（Intermediate Frequency：中間周波数）信号に周波数変換を行い、Ａ／Ｄ変換器１０３に出力する。
【０００６】
Ａ／Ｄ変換器１０３は、アナログＲＦ／ＩＦ部１０２からのＩＦ信号をアナログからデジタルに変換し、復調器１０４に出力する。
復調器１０４は、デジタル変換されたＩＦ信号を所定の変調方式で復調し、復調したベースバンド信号をベースバンドフィルタ１０５に出力する。
ここで、復調器１０４は、変調方式がＰＳＫやＱＡＭの場合は、直交復調器となり、ＦＳＫの場合は、周波数復調器となる。
【０００７】
ベースバンドフィルタ１０５は、復調器１０４から入力されるベースバンド信号について波形整形と帯域外成分の除去を行い、シンボル抽出部１０６と相互相関器２０１に出力する。
尚、ベースバンドフィルタ１０５の周波数特性は、送信機のベースバンドフィルタと受信機のベースバンドフィルタの特性を総合してナイキストの特性となるよう設計されている。
【０００８】
ユニークワード（ＵＷ）パターン格納メモリ１０８は、ユニークワード（ＵＷ）のパターンを記憶する。
相互相関器２０１は、ベースバンドフィルタ１０５から入力される信号と、ＵＷパターン格納メモリ１０８に格納されたＵＷパターンのシンボル値との相互相関演算を行い、その絶対値の２乗値をピーク検出部１０９に出力する。
【０００９】
ピーク検出部１０９は、相互相関の絶対値の２乗値についてピークタイミングを検出し、そのタイミング情報をシンボル抽出部１０６に出力する。
シンボル抽出部１０６は、入力されるタイミング情報に従い、ベースバンドフィルタ１０５から入力される信号を１シンボル周期でサンプリングして符号判定部１０７に出力する。
【００１０】
符号判定部１０７は、入力されるサンプリングされた信号の振幅値から符号の判定を行い、判定によって得られたビットデータを出力端子１１５に出力する。
【００１１】
相互相関の絶対値の２乗値は、受信信号に含まれるＵＷと、ＵＷパターン格納メモリ１０８に格納されたＵＷパターンのシンボル値とが一致するタイミングで最大値を与えるため、ピークを検索することにより、シンボルタイミングを抽出できる。
【００１２】
［データ部符号違いによるベースバンド信号の波形：図４］
次に、変調信号のフレームフォーマットと、データ部符号の違いによるベースバンド信号の波形について図４を参照しながら説明する。図４は、データ部符号の違いによるベースバンド信号の波形の一例を示した図である。
フレームフォーマットは、フレームの中央に受信側で既知であるユニークワード（ＵＷ）が配置され、その両側にデータ（Data）が配置されるものとする。
【００１３】
図４に示すように、この例では、ベースバンド信号は２値で、ＵＷパターンが「００１０１」の５ビットパターンとし、例（１）では、ＵＷの前方に隣接するデータが「１０１」、後方に隣接するデータが「１０１」の場合であり、例（２）では、ＵＷの前方に隣接するデータが「０１０」、後方に隣接するデータが「０１０」の場合の２通りを考える。
【００１４】
送受のベースバンドフィルタがナイキストの特性のため、シンボルタイミング以外では、符号間干渉を受けるため、隣接する符号によって、その部分の波形は変化する。
そのため、例（１）と例（２）では、ＵＷのデータは両方共同じであるが、ＵＷ区間内の３０１と３０２、３０３と３０４が、隣接データ（１）（２）に依存して異なったものとなる。
【００１５】
［データ部符号違いによる相互相関の絶対値の２乗値のピーク：図５］
次に、データ部符号の違いによる相互相関の絶対値の２乗値に基づくピークについて図５を参照しながら説明する。図５は、データ部符号の違いによる相互相関の絶対値の２乗値に基づくピークの例を示した図である。
図５に示すように、隣接データ（１）（２）に依存してピーク位置４０２，４０３が理想タイミング４０１から偏っている。
【００１６】
［関連技術］
尚、関連する先行技術として、特開２００９−４４３６３号公報「無線機」（出願人：株式会社日立国際電気）がある（特許文献１）。
特許文献１には、無線機において、最小タイミング検出手段が、シンボル周期の所定倍数の周期毎にレベル検出されたサンプル毎の信号のレベルの中で最小であって、しきい値以下であるサンプルのタイミングを検出し、タイミング制御手段が、検出されたサンプルのタイミングが隣接する２つのシンボル間の中点のタイミングであるとみなしてシンボルタイミングの同期を取ることが示されている。
【先行技術文献】
【特許文献】
【００１７】
【特許文献１】特開２００９−４４３６３号公報
【発明の概要】
【発明が解決しようとする課題】
【００１８】
しかしながら、従来の受信機におけるシンボルタイミング抽出方法では、特に図５に示すように、ＵＷの隣接データ（１）（２）がフレーム毎にランダムなデータであれば、ピーク位置もランダムにばらつくため、シンボルタイミングはその平均に落ち着き問題ないが、データ（１）又は（２）の部分に、システムに依存する固定なビットパターンが配置されると、毎フレーム同じ方向にピークが偏り、シンボルタイミングが理想タイミングからずれ、復調特性を劣化させるという問題点があった。
【００１９】
本発明は上記実情に鑑みて為されたもので、相互相関のピークが隣接データに影響されることなく、シンボルタイミングを精度良く抽出できる受信機及びシンボルタイミング抽出方法を提供することを目的とする。
【課題を解決するための手段】
【００２０】
上記従来例の問題点を解決するための本発明は、デジタル変調方式の受信機であって、復調した受信信号に含まれるユニークワードの前後のデータを抽出するデータ抽出手段と、受信側で予めユニークワードを記憶するユニークワード記憶手段と、抽出されたデータとユニークワード記憶手段から読み取ったユニークワードとを結合してマッピングして出力する結合手段と、結合手段からの出力をフィルタリングする送信フィルタと受信フィルタの特性を併せて持つフィルタと、当該フィルタからの出力からユニークワードを切り出す切り出し手段と、切り出されたユニークワードを、受信信号のユニークワードとの相互相関を検出するためのリファレンス信号に使用する相互相関手段とを有することを特徴とする。
【００２１】
本発明は、デジタル変調方式の受信機であって、復調した受信信号に含まれるユニークワードの前方又は後方のデータを抽出するデータ抽出手段と、受信側で予めユニークワードを記憶するユニークワード記憶手段と、抽出されたデータとユニークワード記憶手段から読み取ったユニークワードとを結合してマッピングして出力する結合手段と、結合手段からの出力をフィルタリングする送信フィルタと受信フィルタの特性を併せて持つフィルタと、当該フィルタからの出力からユニークワードを切り出す切り出し手段と、切り出されたユニークワードを、受信信号のユニークワードとの相互相関を検出するためのリファレンス信号に使用する相互相関手段とを有することを特徴とする。
【００２２】
本発明は、デジタル変調方式の受信機におけるシンボルタイミング抽出方法であって、データ抽出手段が、復調した受信信号に含まれるユニークワードの前後のデータを抽出し、結合手段が、抽出されたデータと受信側で予めユニークワードを記憶するユニークワード記憶手段から読み取ったユニークワードとを結合してマッピングして出力し、送信フィルタと受信フィルタの特性を併せて持つフィルタが、結合手段からの出力をフィルタリングし、切り出し手段が、当該フィルタからの出力からユニークワードを切り出し、相互相関手段が、切り出されたユニークワードを、受信信号のユニークワードとの相互相関を検出するためのリファレンス信号に使用することを特徴とする。
【００２３】
本発明は、デジタル変調方式の受信機におけるシンボルタイミング抽出方法であって、データ抽出手段が、復調した受信信号に含まれるユニークワードの前方又は後方のデータを抽出し、結合手段が、抽出されたデータと受信側で予めユニークワードを記憶するユニークワード記憶手段から読み取ったユニークワードとを結合してマッピングして出力し、送信フィルタと受信フィルタの特性を併せて持つフィルタが、結合手段からの出力をフィルタリングし、切り出し手段が、当該フィルタからの出力からユニークワードを切り出し、相互相関手段が、切り出されたユニークワードを、受信信号のユニークワードとの相互相関を検出するためのリファレンス信号に使用することを特徴とする。
【発明の効果】
【００２４】
本発明によれば、データ抽出手段が、復調した受信信号に含まれるユニークワードの前後のデータを抽出し、ユニークワード記憶手段が、受信側で予めユニークワードを記憶し、結合手段が、抽出されたデータとユニークワード記憶手段から読み取ったユニークワードとを結合してマッピングして出力し、送信フィルタと受信フィルタの特性を併せて持つフィルタが、結合手段からの出力をフィルタリングし、切り出し手段が、当該フィルタからの出力からユニークワードを切り出し、相互相関手段が、切り出されたユニークワードを、受信信号のユニークワードとの相互相関を検出するためのリファレンス信号に使用するデジタル変調方式の受信機としているので、相互相関のピークが隣接データに影響されることなく、シンボルタイミングを精度良く抽出できる効果がある。
【００２５】
本発明によれば、データ抽出手段が、復調した受信信号に含まれるユニークワードの前後のデータを抽出し、結合手段が、抽出されたデータと受信側で予めユニークワードを記憶するユニークワード記憶手段から読み取ったユニークワードとを結合してマッピングして出力し、送信フィルタと受信フィルタの特性を併せて持つフィルタが、結合手段からの出力をフィルタリングし、切り出し手段が、当該フィルタからの出力からユニークワードを切り出し、相互相関手段が、切り出されたユニークワードを、受信信号のユニークワードとの相互相関を検出するためのリファレンス信号に使用するデジタル変調方式の受信機におけるシンボルタイミング抽出方法としているので、相互相関のピークが隣接データに影響されることなく、シンボルタイミングを精度良く抽出できる効果がある。
【図面の簡単な説明】
【００２６】
【図１】本発明の実施の形態に係る受信機の構成ブロック図である。
【図２】ナイキストフィルタの構成図である。
【図３】従来の受信機の構成ブロック図である。
【図４】データ部符号の違いによるベースバンド信号の波形の一例を示した図である。
【図５】データ部符号の違いによる相互相関の絶対値の２乗値に基づくピークの例を示した図である。
【発明を実施するための最良の形態】
【００２７】
本発明の実施の形態について図面を参照しながら説明する。
［実施の形態の概要］
本発明の実施の形態に係る受信機は、送受信のベースバンドフィルタ総合特性をナイキストの特性とするデジタル変調方式の受信機であり、受信信号の信号フォーマットは、中央に受信機側で既知なユニークワード（ＵＷ）が配置され、その前後にデータが配置されたものであり、受信信号を復調したデータからＵＷの前後のデータを抽出し、当該前後のデータと受信機が保持しているＵＷとを時間順に結合し、結合したデータを所定の変調方式に対応したマッピングを行い、該マッピングを行ったシンボルをナイキストフィルタに通して、ＵＷ部分のみを切り出してリファレンス信号とし、受信信号と当該レファレンス信号との相互相関の振幅の２乗値を演算し、該２乗値のピーク位置を検出することにより、シンボルタイミングを抽出するものであり、相互相関のピークが隣接データに影響されることなく、シンボルタイミングを精度良く抽出できるものである。
【００２８】
また、本発明の実施の形態に係る受信機は、受信信号の信号フォーマットが、受信機側で配置されたＵＷの位置に対して、前方又は後方の一方にデータが配置されている場合、その前方又は後方の一方のデータを抽出し、当該抽出したデータと受信機が保持するＵＷとを時間順に結合し、結合したデータを所定の変調方式に対応したマッピングを行い、該マッピングを行ったシンボルをナイキストフィルタに通して、ＵＷ部分のみを切り出してリファレンス信号とし、受信信号と当該レファレンス信号との相互相関の振幅の２乗値を演算し、該２乗値のピーク位置を検出することにより、シンボルタイミングを抽出するものであり、相互相関のピークが隣接データに影響されることなく、シンボルタイミングを精度良く抽出できるものである。
【００２９】
［本受信機の構成：図１］
本発明の実施の形態に係る受信機（本受信機）について図１を参照しながら説明する。図１は、本発明の実施の形態に係る受信機の構成ブロック図である。
本受信機は、図１に示すように、入力端子１０１と、アナログＲＦ／ＩＦ部１０２と、Ａ／Ｄ変換器１０３と、復調器１０４と、ベースバンドフィルタ（受信フィルタ）１０５と、シンボル抽出部１０６と、符号判定部１０７と、ユニークワード（ＵＷ）パターン格納メモリ１０８と、ピーク検出部１０９と、相互相関器１１０と、バッファ１１１と、ＵＷ前後のデータ抽出部１１２と、結合部１１３と、ナイキストフィルタ１１４と、出力端子１１５と、ＵＷ部切り出し部１１６とを備えている。
【００３０】
尚、請求項におけるデータ抽出手段は、符号判定部１０７、バッファ１１１、ＵＷ前後のデータ抽出部１１２に相当し、ユニークワード記憶手段は、ＵＷパターン格納メモリ１０８に相当し、結合手段は、結合部１１３に相当し、フィルタは、ナイキストフィルタ１１４に相当し、切り出し手段は、ＵＷ部切り出し部１１６に相当し、相互相関手段は、相互相関器１１０に相当している。
【００３１】
［本受信機の各部］
本受信機の各部について具体的に説明する。
入力端子１０１は、受信信号を入力し、アナログＲＦ／ＩＦ部１０２に出力する。
アナログＲＦ／ＩＦ部１０２は、受信信号を増幅し、ＲＦ信号からＩＦ信号に周波数変換を行い、Ａ／Ｄ変換器１０３に出力する。
【００３２】
Ａ／Ｄ変換器１０３は、アナログＲＦ／ＩＦ部１０２からのＩＦ信号をアナログからデジタルに変換し、復調器１０４に出力する。
復調器１０４は、デジタル変換されたＩＦ信号を所定の変調方式で復調し、復調したベースバンド信号をベースバンドフィルタ１０５に出力する。
ここで、復調器１０４は、変調方式がＰＳＫやＱＡＭの場合は、直交復調器となり、ＦＳＫの場合は、周波数復調器となる。
【００３３】
ベースバンドフィルタ１０５は、復調器１０４から入力されるベースバンド信号について波形整形と帯域外成分の除去を行い、シンボル抽出部１０６と相互相関器１１０に出力する。
尚、ベースバンドフィルタ１０５の周波数特性は、送信機のベースバンドフィルタ（図示せず）と受信機のベースバンドフィルタ１０５の特性を総合してナイキストの特性となるよう設計されている。
【００３４】
ユニークワード（ＵＷ）パターン格納メモリ１０８は、ユニークワード（ＵＷ）のパターンを記憶する。
相互相関器１１０は、ベースバンドフィルタ１０５から入力される信号と、ＵＷ部切り出し部１１６からのリファレンスのＵＷ部信号との相互相関演算を行い、その絶対値の２乗値をピーク検出部１０９に出力する。
【００３５】
ピーク検出部１０９は、相互相関の絶対値の２乗値についてピークタイミングを検出し、そのタイミング情報をシンボル抽出部１０６に出力する。
シンボル抽出部１０６は、入力されるタイミング情報に従い、ベースバンドフィルタ１０５から入力される信号を１シンボル周期でサンプリングして符号判定部１０７に出力する。
【００３６】
符号判定部１０７は、入力されるサンプリングされた信号の振幅値から符号の判定を行い、判定によって得られたビットデータを出力端子１１５に出力すると共に、バッファ１１１にもビットデータが出力される。
バッファ１１１は、符号判定部１０７から入力されるビットデータを蓄積する。
【００３７】
ＵＷ前後のデータ抽出部１１２は、バッファ１１１からＵＷの前方に隣接するデータ（Dataの（１）部分）とＵＷの後方に隣接するデータ（Dataの（２）部分）をそれぞれ抽出し、結合部１１３に出力する。Dataの（１）（２）部分は、例えば、ＵＷに対して前後２シンボル分のデータを取得したものである。
【００３８】
結合部１１３は、ＵＷ前後のデータ抽出部１１２からのＵＷの前方に隣接するデータと後方に隣接するデータと、ＵＷパターン格納メモリ１０８からのＵＷのパターン（ＵＷ１）とを入力し、ＵＷの前方に隣接するデータ、ＵＷのパターン（ＵＷ１）、ＵＷの後方に隣接するデータを順に結合し、所定の変調方式に対応したマッピングを行い、ナイキストフィルタ１１４に出力する。
【００３９】
ナイキストフィルタ１１４は、結合部１１３からのマッピング結果を入力し、波形整形を行い、ＵＷ部切り出し部１１６に出力する。ここで、ナイキストフィルタ１１４は、送信機のベースバンドフィルタと受信機のベースバンドフィルタ１０５の特性を併せて持つフィルタであり、マッピングされた信号に対して符号間干渉を生じないようにフィルタリングを行う。
ＵＷ部切り出し部１１６は、ナイキストフィルタ１１４からの波形整形された信号からＵＷ部分のみを切り出し、相互相関器１１０に出力する。
【００４０】
ここで、従来の相互相関器２０１では、リファレンス入力がシンボルタイミングのみのシンボルであったが、本受信機における相互相関器１１０では、リファレンス入力がナイキストフィルタ１１４を通過したサンプル波形となっている。
【００４１】
本受信機では、ＵＷパターン格納メモリ１０８に記憶されているＵＷの前後に、符号判定部１０７で符号判定したＵＷの前後のデータを結合部１１３で結合してマッピングしたシンボルをナイキストフィルタ１１４に通して、データ（１）とデータ（２）による符号間干渉を受けたＵＷ部信号を相互相関器１１０のリファレンスとして用いるため、隣接するデータによるシンボルタイミングの偏りが発生しないものである。
【００４２】
つまり、送信側でＵＷ前後のデータの影響を受けたＵＷと同様なＵＷを受信側でも再現し、そこから抽出したＵＷを使って相互相関をとるようにしているので、相互相関のピークが隣接データに影響されず、シンボルタイミングを精度良く抽出できるものである。
【００４３】
［ナイキストフィルタ：図２］
ここで、ナイキストフィルタ１１４について図２を参照しながら説明する。図２は、ナイキストフィルタの構成図である。
一般的なナイキストフィルタは、図２に示すように、マッピングされた信号を帯域制限するＬＰＦ（Low Pass Filter：低域通過フィルタ）３２，３３を備えている。
【００４４】
［応用例１］
本受信機においては、最初にタイミングずれがあったとしても、本実施の形態の処理を実行せず、データ受信ができるようになってから当該処理を実行すれば、受信機としての安定性を向上できる効果がある。
【００４５】
［応用例２］
本受信機において、ＵＷの前後のデータがシステムによって固定であるならば、通信開始時に本受信機の処理を実行すればよく、ＵＷ部切り出し部１１６と相互相関器１１０との間にスイッチを設け、ＵＷ切り出し部１１６又はＵＷパターンメモリ１０８からいずれかのＵＷを選択可能とし、通信開始時にはＵＷ部切り出し部１１６と相互相関器１１０とを接続し、その後にＵＷパターンメモリ１０８と相互相関器１１０とを接続するようにしてもよい。
【００４６】
［応用例３］
本受信機では、受信信号の受信フォーマットが、ＵＷの前後にデータ配置される場合であったが、ＵＷの前方又は後方の一方のみにデータが配置される場合にも適用可能である。
この場合は、ＵＷ前後のデータ抽出部１１２は、ＵＷの前方又は後方の一方のデータを抽出し、結合部１１３は、ＵＷパターン格納メモリ１０８から読み込んだＵＷと抽出されたデータを時間順に結合して変調方式に対応したマッピングを行い、ＵＷ切り出し部１１６が、ナイキストフィルタ１１４からＵＷ部のみを切り出し、相互相関器１１０に出力している。
【００４７】
［応用例４］
本受信機では、ＵＷの前後に配置されたデータを抽出してＵＷパターン格納メモリ１０８から読み込んだＵＷと結合したが、ＵＷ前後の一方のみのデータを抽出してＵＷに時間順で結合し、ＵＷ切り出し部１１６が、ナイキストフィルタ１１４からＵＷ部のみを切り出し、相互相関器１１０に出力するようにしてもよい。
【００４８】
［実施の形態の効果］
本受信機によれば、符号判定部１０７で符号判定したＵＷの前後のデータをＵＷ前後のデータ抽出部１１２で抽出し、結合部１１３でＵＷパターン格納メモリ１０８に記憶されているＵＷを読み取り、抽出されたＵＷ前後のデータを時間順に結合してマッピングし、当該マッピングしたシンボルをナイキストフィルタ１１４に通して、ＵＷ部切り出し部１１６でＵＷ部のみ切り出し、その符号間干渉を受けたＵＷ部信号を相互相関器１１０のリファレンスとして用いるため、隣接するデータによるシンボルタイミングの偏りが発生せず、シンボルタイミングを精度良く抽出できる効果がある。
【産業上の利用可能性】
【００４９】
本発明は、相互相関のピークが隣接データに影響されることなく、シンボルタイミングを精度良く抽出できる受信機及びシンボルタイミング抽出方法に好適である。
【符号の説明】
【００５０】
１０１…入力端子、  １０２…アナログＲＦ／ＩＦ部、  １０３…Ａ／Ｄ変換器、  １０４…復調器、  １０５…ベースバンドフィルタ、１０６…  シンボル抽出部、１０７…  符号判定部、  １０８…ユニークワード（ＵＷ）パターン格納メモリ、  １０９…ピーク検出部、  １１０…相互相関器、  １１１…バッファ、  １１２…ＵＷ前後のデータ抽出部、  １１３…結合部、  １１４…ナイキストフィルタ、  １１５…出力端子、  １１６…ＵＷ部切り出し部、  ２０１…相互相関器
【図１】
2010283726.tif 000003
【図２】
2010283726.tif 000004
【図３】
2010283726.tif 000005
【図４】
2010283726.tif 000006
【図５】
2010283726.tif 000007